(57)【要約】【課題】建設工事の際の仮設資材の解体を、能率的、且つ安全に行えるようにする。【解決手段】操作杆２と、この操作杆２先端側に、足場に併設した転落防止用の手摺枠Ｄを結合する連結手段のロック解除をするためのロック解除具３を設ける。前記操作杆２は、断面方形状の中空杆で、操作基杆２ａと、この操作基杆２ａに格納可能に設けた調節杆２ｂとによって構成する。この調節杆２ｂを前記操作基杆２ａに格納した状態と、操作基杆２ａに対し最大限に引き出した状態で保持するための拘束手段４を有する。この拘束手段４は、前記調節杆２ｂの末端寄りの箇所に設けた押圧係止部材５と、前記操作基杆２ａ側に設けた、前記押圧係止部材５を付勢力により操作基杆２ａ内側から突出して係止することで、前記調節杆２ｂを拘束するようにした拘束穴６とによって構成する。前記調節杆２ｂ先端側のロック解除具３は、中空パイプ材で構成する。【選択図】              図２
2004346563.tif 000002
【特許請求の範囲】
【請求項１】
操作杆と、この操作杆先端側に傾斜構成したロック解除具とを有し、このロック解除具は足場における仮設資材をロック保持する連結手段に係合可能に構成し、前記操作杆は、操作基杆と、この操作基杆に対し、格納引き出し可能に設けた調節杆とによって構成して、この調節杆を前記操作基杆に対し、所定位置に保持するための拘束手段を備え、前記操作杆を変位操作することで、前記仮設資材の連結手段のロックを解除して、前記仮設資材を取り外すようにしたことを特徴とする仮設資材用解体治具。
【請求項２】
前記拘束手段は、前記調節杆の末端寄りの箇所に突出する方向に付勢された、突没可能な押圧係止部材と、前記操作基杆側に、前記調節杆の進退通路に沿って適所に形成し、前記押圧係止部材を付勢力により操作基杆内側から突出させることで、前記調節杆を拘束するようにした拘束穴とによって構成したことを特徴とする請求項１記載の仮設資材用解体治具。
【請求項３】
前記ロック解除具は、前記連結手段に嵌入可能な中空パイプ材で構成し、前記操作杆に対して鈍角をなすように操作杆に接続したことを特徴とする請求項１記載の仮設資材用解体治具。
【請求項４】
前記ロック解除具の中間に、携帯用フックロッドを突設したことを特徴とする請求項１または３記載の仮設資材用解体治具。
【請求項５】
前記操作杆に、落下防止用ロープを連結する連結具を設けたことを特徴とする請求項１ないし３記載のうち、いずれか１記載の仮設資材用解体治具。
【発明の詳細な説明】
【０００１】
【発明の属する技術分野】
本発明は、例えば、建設工事の際の仮設資材の解体を、能率的、且つ安全に行えるようにした、仮設資材用解体治具に関するものである。
【０００２】
【従来の技術】
現在、土木建設工事、修繕工事の際、施工構築物に使用される仮設資材のうち、施工者の足場は、主として所定の規格化されたユニット（建枠、布枠、ブレース等）により、施工構築物周囲に、複数列、複数段に組み上げて構成している。また、このような足場の解体は、上段から下段まで作業者の手によって、一段、一段建枠や布枠を取り外すことで行われていくため、作業者の転落防止のために、手摺枠を配置するようにしている（特開２００３−１２００１８号公報）。
この場合、手摺枠は、建枠に沿わせて設置された、互いに隣接する支柱パイプ間に、支柱パイプ側に設けた連結手段により、前記手摺枠を簡単に嵌め込む一方、脱落しないように結合する構成としている。
【０００３】
【発明が解決しようとする課題】
しかしながら、このような取り付け方で前記手摺枠を取り付けるため、手摺枠の取り付け作業は容易ではあるが、撤去の際は、上記支柱パイプ側に設けた連結手段を、一つ一つ手で解除操作して、手摺枠を取り外さなくてはならない。その際、作業者は、取り外す手摺枠における足場にいて解除操作を行うため、転落のおそれがあった。
そこで、前記取り外す手摺枠より一段下の、転落するおそれのない足場にいて、当該上段の手摺枠の取り外し作業をすれば、安全に作業を遂行できるであろうという観点に至り、そのための道具を案出することとなった。
本発明は、以上のような背景から提案されたものであって、建設工事の際の仮設資材の解体を、能率的、且つ安全に行えるようにした、仮設資材用解体治具を提供することを目的とする。
【０００４】
【課題を解決するための手段】
前記した課題を解決するために、本発明では、請求項１において、操作杆と、この操作杆先端側に傾斜構成したロック解除具とを有し、このロック解除具は足場における仮設資材をロック保持する連結手段に係合可能に構成し、前記操作杆は、操作基杆と、この操作基杆に対し、格納引き出し可能に設けた調節杆とによって構成して、この調節杆を前記操作基杆に対し、所定位置に保持するための拘束手段を備え、前記操作杆を変位操作することで、前記仮設資材の連結手段のロックを解除して、前記仮設資材を取り外すようにした仮設資材用解体治具を提案する。
また本発明では、請求項２において、前記拘束手段は、前記調節杆の末端寄りの箇所に突出する方向に付勢された、突没可能な押圧係止部材と、前記操作基杆側に、前記調節杆の進退通路に沿って適所に形成し、前記押圧係止部材を付勢力により操作基杆内側から突出させることで、前記調節杆を拘束するようにした拘束穴とによって構成した仮設資材用解体治具を提案する。
また本発明では、請求項３において、前記ロック解除具は、前記連結手段に嵌入可能な中空パイプ材で構成し、前記操作杆に対して鈍角をなすように操作杆に接続した仮設資材用解体治具を提案する。
また本発明では、請求項４において、前記ロック解除具の中間に、携帯用フックロッドを突設した仮設資材用解体治具を提案する。
さらに本発明では、請求項５において、前記操作杆に、落下防止用ロープを連結する連結具を設けた仮設資材用解体治具を提案する。
【０００５】
請求項１によれば、作業者は、使用状況に応じて、操作基杆に対し、調節杆を格納した状態で、調節杆先端側のロック解除具を連結手段に係合して解除操作したり、操作基杆から調節杆を引き出して、拘束手段により固定した状態で、仮設資材の解除操作が可能である。
【０００６】
請求項２によれば、調節杆が操作杆内に格納された位置から、操作杆における拘束穴に係止した押圧係止部材を付勢力に抗して押し込みながら、調節杆を引っ張ることで、操作基杆から調節杆が、前記操作基杆内側の進退通路に沿って引き出され、操作基杆の適所における拘束穴に前記押圧係止部材がもたらされると、付勢力により操作基杆内側から突出して、前記調節杆をその位置で固定することができる。
【０００７】
請求項３によれば、操作杆先端側のロック解除具における開口部を、連結手段に係合して前記操作杆の手元側を押し込むことで連結手段のロック解除がなされる。
【０００８】
請求項４によれば、解体作業にするにあたり、解体治具を作業服の腰のベルト部分にフックロッドを引っ掛けた状態で足場を移動して、解体箇所に移動することができる。
【０００９】
請求項５によれば、移動中に、解体治具が作業服の腰のベルト部分からフックロッドから外れても、落下を防止することができる。
【００１０】
【発明の実施の形態】
以下、本発明にかかる仮設資材用解体治具につき、一つの実施の形態を示し、添付の図面に基づいて説明する。
図１、図２に仮設資材用解体治具１を示し、この仮設資材用解体治具１は、長さを切り換え可能な操作杆２と、この操作杆２先端側に、仮設資材による足場に併設した転落防止用の手摺枠（後述）を結合する連結手段（後述）のロック解除をするためのロック解除具３を設けている。
このロック解除具３は、前記連結手段に係合して前記操作杆２を変位操作させることで、前記連結手段のロック作用を解除する構成としている。
【００１１】
前記解体治具１は、全体が例えばアルミニウム等の軽金属で構成することができる。もちろん、所定の強度があれば、合成樹脂も可能である。
【００１２】
前記操作杆２は、断面方形状の中空杆であり、操作基杆２ａと、この操作基杆２ａに格納可能に設けた調節杆２ｂとによって構成し、この調節杆２ｂを前記操作基杆２ａに格納した状態と、操作基杆２ａに対し最大限に引き出した状態で保持するための拘束手段４を有している。もちろん、前記操作杆２は、断面円筒状の中空杆で構成することもできる。
この拘束手段４は、前記調節杆２ｂの末端寄りの箇所に突出する方向に付勢された、突没可能な押圧係止部材５と、前記操作基杆２ａ側に、前記調節杆２ｂの進退通路の沿って適所に形成した、前記押圧係止部材５を付勢力により操作基杆２ａ内側から突出させることで、前記調節杆２ｂを拘束するようにした拘束穴６とによって構成している。
【００１３】
ここで、前記拘束手段４についてさらに詳細に説明する。
前記調節杆２ｂの末端寄りの箇所に設けた押圧係止部材５は、図２に示すように、円筒押しボタン形状のもので、この押圧係止部材５は、前記調節杆２ｂ内に、ガイドＧに沿って、ばね部材７により突出する方向に付勢する状態で突没可能に取り付けている。
このように構成することにより、前記解体治具１は、操作杆２における拘束穴６に係止した押圧係止部材５を付勢力に抗して押し込みながら、調節杆２ｂを引っ張ることで、操作基杆２ａから調節杆２ｂが、前記操作基杆２ａ内側の進退通路に沿って引き出され、操作基杆２ａ先端側の拘束穴６に前記押圧係止部材５がもたらされることで、前記ばね部材７の付勢力により操作基杆２ａ内側から突出して、前記調節杆２ｂをその位置で固定するようにしている。
【００１４】
そして、前記調節杆２ｂ先端側のロック解除具３は、所定長さの中空パイプ材で構成し（図４参照）、前記調節杆２ｂに対して１２０度程度の鈍角で溶着している（図２参照）。この場合、ロック解除具３の内径は、後述する手摺枠を結合する連結手段に対応して嵌入可能に設定している。
また前記ロック解除具３の中間には、携帯用フックロッド８を突設している。このフックロッド８は、適宜な軸部材を用いて構成し、中間から先端にかけて、前記調節杆２ｂに略平行になるように屈曲させている。これによって、前記フックロッド８は、作業服の腰ベルト等に引っ掛けやすく、前記解体治具１に携帯性をもたらしている（図５参照）。
【００１５】
さらに前記操作杆２のうちの操作基杆２ａには、作業服の腰ベルト等に設けた落下防止用ロープＬを連結する連結リング９を設けている。
【００１６】
ここで、仮設資材による足場Ｆについて説明する。
足場Ｆは、図６に示すように、建枠Ａ、布枠Ｂ、３角枠Ｃ等により、施工構築物周囲に、複数列、複数段に組み上げて構成しており、さらに、転落防止用の手摺枠Ｄを設けている。この手摺枠Ｄは、建枠Ａに沿って設けた連結手段１０によって取り付けている（図７参照）。
【００１７】
前記連結手段１０は、建枠Ａに突設した突部１１に、ばね部材によって突出する側に付勢したロック手段１２を設けて構成している。この突部１１を、手摺枠Ｄの四隅に設けた受具１３の係止穴ｈに挿通することで、前記ロック手段１２を前記突部１１の径方向に突出させて、手摺枠Ｄを、受具１３を介して脱落しないように保持するようにしている。
【００１８】
このような連結手段１０における突部１１のロック手段１２は、前記ロック解除具３先端の開口端からロック解除具３内面に嵌入させて、ロック解除具３を変位させることで、ロック解除具３内壁により、突部１１内にロック手段１２をばね力に抗して押し込むことでロック解除して、前記手摺枠Ｄを手摺枠Ｄの四隅に設けた受具１３を突部１１から離脱させて、取り外す構成である。
【００１９】
本発明にかかる仮設資材用解体治具１は、以上のように構成されるものであり、次に仮設資材用解体治具１による足場Ｆ、手摺枠Ｄの解体手順を説明する。
土木工事、建築工事、修繕工事等が終了し、施工構築物に使用されている仮設資材は、最上部から順に外していくようにする。そのために、作業者は、足場Ｆを伝って最上部まで上っていき、建枠Ａ、布枠Ｂ、３角枠Ｃを一つ一つ、外していくことになる。この際、作業者は解体治具１を、作業服の腰ベルト等に調節杆２ｂ先端のロック解除具３に設けたフックロッド８を引っ掛けて携帯することができる。また、操作基杆２ａの連結リング９に、作業服の腰ベルト等に設けた落下防止用ロープＬを連結すれば解体治具１を落としてしまうようなことはない（図５参照）。
【００２０】
先ず、作業者は、外すべき最上部の足場Ｆにきて、その位置の布枠Ｂに乗り、最上部の足場Ｆを構成する建枠Ａと共に３角枠Ｃを外し、その最上部の足場Ｆの一段下の位置にきて、前記布枠Ｂを外す。
次いで、前記最上部の手摺枠Ｄを外すわけだが、手摺枠Ｄの下側の双方の受具１３における連結手段１０の突部１１のロック手段１２を押し込んでそれぞれ取り外し、再びロックされないように手摺枠Ｄの下側を引き離す（図６、図８参照）。
【００２１】
次に、腰ベルトに引っ掛けた解体治具１を手にとり、調節杆２ｂ先端のロック解除具３が、手摺枠Ｄの上側の受具１３における連結手段１０に届くかどうか確かめる。
前記ロック解除具３が前記手摺枠Ｄの上側の受具１３における連結手段１０に届けばそのまま、前記ロック解除具３先端の開口端に、連結手段１０の突部１１、およびロック手段１２に嵌め入れていき解除操作を開始する（図９参照）。
【００２２】
また、ロック解除具３が、手摺枠Ｄの上側の受具１３における連結手段１０に届かないときは、解体治具１の操作杆２の長さを変える。すなわち、操作杆２における拘束穴６に係止した押圧係止部材５を付勢力に抗して押し込みながら、調節杆２ｂを引っ張ることで、操作基杆２ａから調節杆２ｂが、前記操作基杆２ａ内側の進退通路に沿って引き出され、操作基杆２ａ先端側の拘束穴６に前記押圧係止部材５がもたらされると、ばね部材７の付勢力により操作基杆２ａ内側から突出して、前記調節杆２ｂをその位置で固定することができる。
このようにすることで、操作基杆２ａと調節杆２ｂとは、一つの杆のごとくぐらつくことなく固定される。
【００２３】
以上のように操作杆２の長さを合わせることで、解除操作を行うことができる。前記ロック解除具３先端の開口端に、連結手段１０の突部１１、およびロック手段１２に嵌め入れた状態で、操作杆２の握り箇所側を建枠Ａに向かって押し込むことで、ロック解除具３内壁によって、連結手段１０のロック手段１２がばね力に抗して押し込まれ、これにより前記連結手段１０のロック作用を解除することができ、手摺枠Ｄを建枠Ａから取り外すことができる（図１０、図１１、図８参照）。
そして、もう一方の連結手段１０を同様にして解体治具１により取り外せば、その手摺枠Ｄの解体が完了する。
このようにして、足場Ｆの上部側から順次、取り外しにかかる足場Ｆの一段下の布枠Ｂに乗った状態で、手摺枠Ｄの解体作業を行うことができ、簡単で速やかに、しかも一段下の手摺枠Ｄで囲まれた状態で作業を遂行することができるので、転落のおそれはない。
なお、上記解体治具１は、アルミニウム等の軽金属によって構成しているので、特に上腕に対する負担を軽減し、長時間に亘る作業が可能となる。
【００２４】
【発明の効果】
以上のとおり、本発明によれば
（１）作業者は、操作杆先端側のロック解除具を、連結手段に係合して前記操作杆を変位操作させることで、前記連結手段のロック作用を解除することができ、足場ユニットを取り外すことができる。
（２）足場の構造に応じて、操作基杆に対し調節杆を出し入れするだけで、操作杆の長さを調節することができ、一層、解体作業が容易となり、能率が向上する。
（３）操作杆先端側のロック解除具における開口部を、連結手段に係合して前記操作杆の手元側を押し込むことで連結手段のロック解除を行うことができ、解体作業が容易となる。
（４）解体作業にするにあたり、解体治具を作業服の腰のベルト部分にフックロッドを引っ掛けた状態で足場を移動して、解体箇所に移動することができる。
（５）移動中に、解体治具が作業服の腰のベルト部分からフックロッドから外れても、落下を防止することができる。
（６）取り外しにかかる足場の一段下の、手摺枠で囲まれた状態の足場において仮設資材の解体作業を行うので、転落のおそれなく作業を遂行することができる
【００２５】
【図面の簡単な説明】
【図１】本発明にかかる仮設資材用解体治具の一例を示す、外観斜視図である。
【図２】図１に示す仮設資材用解体治具の一側面図である。
【図３】図１に示す仮設資材用解体治具の操作杆を拡張した状態を示す、一側面図である。
【図４】図１に示す仮設資材用解体治具を別方向から見た、外観斜視図である。
【図５】本発明にかかる仮設資材用解体治具のフックロッドを、作業服の腰ベルト等に引っ掛け、落下防止用ロープを連結したところを示す説明図である。
【図６】足場において解体作業をする際の説明図である。
【図７】足場に敷設された手摺枠の保持構造を示した要部説明図である。
【図８】足場に敷設された手摺枠の解体作業の説明図である。
【図９】足場に敷設された手摺枠の上部側を、仮設資材用解体治具を用いて解体する際の説明図である。
【図１０】仮設資材用解体治具におけるロック解除具を、連結手段に係合したところを示す要部断面説明図である。
【図１１】仮設資材用解体治具におけるロック解除具を、連結手段に係合して操作杆を変位操作させるところを示す要部断面説明図である。
【符号の説明】
１                            仮設資材用解体治具
２                            操作杆
２ａ                          操作基杆
２ｂ                          調節杆
３                            ロック解除具
４                            拘束手段
５                            押圧係止部材
６                            拘束穴
７                            ばね部材
８                            フックロッド
９                            連結リング
１０                          連結手段
１１                          突部
１２                          ロック手段
１３                          受具
Ｇ                            ガイド
Ｌ                            落下防止用ロープ
Ｆ                            足場
Ａ                            建枠
Ｂ                            布枠
Ｃ                            ３角枠
Ｄ                            手摺枠
ｈ                            係止穴
【図１】
2004346563.tif 000003
【図２】
2004346563.tif 000004
【図３】
2004346563.tif 000005
【図４】
2004346563.tif 000006
【図５】
2004346563.tif 000007
【図６】
2004346563.tif 000008
【図７】
2004346563.tif 000009
【図８】
2004346563.tif 000010
【図９】
2004346563.tif 000011
【図１０】
2004346563.tif 000012
【図１１】
2004346563.tif 000013